(57)【要約】【課題】郵便受けに投函された郵便物に関する情報を外出先で確認することができる通信端末装置を提供すること。【解決手段】本発明の通信端末装置１は、郵便受け１５に郵便物が投函されたことを検出する開閉検出センサ４と、該開閉検出センサ４が前記郵便物が投函されたことを検出した場合に前記郵便受け１５に投函された郵便物の画像データを撮像する撮像部５と、該撮像部５が撮像した画像データを格納する画像メモリ８と、該画像メモリ８に格納された画像データを電子メールに添付して所定の宛先に送信する通信部９と、を備える。【選択図】      図１
2005294946.tif 000002
【特許請求の範囲】
【請求項１】
郵便受けに郵便物が投函されたことを検出する検出手段と、該検出手段が前記郵便物が投函されたことを検出した場合に前記郵便受けに投函された郵便物の画像データを撮像する撮像手段と、該撮像手段が撮像した画像データを格納する格納手段と、該格納手段に格納された画像データを電子メールに添付して所定の宛先に送信する送信手段と、を備えることを特徴とする通信端末装置。
【請求項２】
前記撮像手段は、前記郵便受けに投函された郵便物の表面と裏面の画像データを撮像することを特徴とする請求項１記載の通信端末装置。
【請求項３】
前記格納手段は、前記撮像手段が撮像した画像データとともにその画像データが撮像された撮像日時を格納し、前記送信手段は、前記格納手段に格納された画像データを電子メールに添付するとともにその電子メールの本文に添付した画像データの撮像日時を記載して所定の宛先に送信することを特徴とする請求項１又は２記載の通信端末装置。
【請求項４】
前記送信手段は、前記撮像手段が郵便物の画像データを撮像する度に前記格納手段に格納されたその画像データを送信するか、前記撮像手段が郵便物の画像データを所定回数撮像する度に前記格納手段に格納されたそれらの画像データを送信するか、又は、前記格納手段のメモリ残量が所定値以下となった場合に前記格納手段に格納された未送信の画像データを送信するか、のいずれかの処理を行うことを特徴とする請求項１乃至３のいずれか１に記載の通信端末装置。
【請求項５】
前記格納手段に未送信の画像データがあるか否かの外部からの問合せを受付ける受付手段と、該受付手段が問合せを受付けた場合に前記格納手段に未送信の画像データがあるか否かを判断する判断手段を備え、
前記送信手段は、前記判断手段が前記格納手段に未送信の画像データが格納されていると判断した場合に、その未送信の画像データを電子メールに添付して前記所定の宛先に送信することを特徴とする請求項１乃至３のいずれか１に記載の通信端末装置。
【発明の詳細な説明】
【技術分野】
【０００１】
本発明は、通信端末装置に関し、詳しくは、撮像した画像データを外部通信端末に送信する通信端末装置に関する。
【背景技術】
【０００２】
住宅等に設置されている郵便受けにはさまざまな郵便物（ここでいう「郵便物」とは、郵便受けに投函されるダイレクトメールやチラシ等を含む。）が投函される。これらの郵便物の多くは、郵便局員によって投函されたものがほとんどであるが、中には誰が投函したか分からない不審なものもある。受取人が郵便受けに不審な郵便物を発見した場合、それを誰が投函したのかわからず不安感や不快感を抱くことがある。かかる事情を考慮して、郵便受けに郵便物を投函した人物を撮像し、その撮像した画像データを外部通信端末に送信する通信端末装置が特許文献１に開示されている。
【０００３】
特許文献１の通信端末装置は、郵便受けに郵便物が投函された際にその郵便物を投函した人物を撮像し、撮像して得た画像データを電話回線（ＰＳＴＮ：Public Switched Telephone Network）を介して外部通信端末へ送信する。そして、外部通信端末は、通信端末装置から送信された画像データの画像を液晶表示装置（ＬＣＤ：Liquid Crystal Display）に表示する。この外部通信端末を所持する郵便物の受取人（以下、「ユーザ」ともいう。）はその表示された画像をみて、郵便受けに郵便物を投函した人物を確認することができる。
【特許文献１】特開２００１−７８１７３号公報
【発明の開示】
【発明が解決しようとする課題】
【０００４】
しかしながら、特許文献１の通信端末装置では、ユーザは外部通信端末に表示された画像から郵便受けに郵便物を投函した人物を確認することはできても、郵便受けに投函された郵便物の差出人などの郵便物に関する情報を郵便受けを開けて郵便物をみるまで確認することはできなかった。
【０００５】
本発明は、上記の課題に鑑みてなされたものであり、郵便物の受取人が郵便受けに投函された郵便物に関する情報を外出先で確認することができる通信端末装置を提供することを目的とする。
【課題を解決するための手段】
【０００６】
上記目的を達成するために、請求項１記載の通信端末装置は、郵便受けに郵便物が投函されたことを検出する検出手段と、該検出手段が前記郵便物が投函されたことを検出した場合に前記郵便受けに投函された郵便物の画像データを撮像する撮像手段と、該撮像手段が撮像した画像データを格納する格納手段と、該格納手段に格納された画像データを電子メールに添付して所定の宛先に送信する送信手段と、を備えることを特徴としている。
【０００７】
請求項２記載の通信端末装置は、請求項１記載の通信端末装置において、前記撮像手段は、前記郵便受けに投函された郵便物の表面と裏面の画像データを撮像することを特徴としている。
【０００８】
請求項３記載の通信端末装置は、請求項１又は２記載の通信端末装置において、前記格納手段は、前記撮像手段が撮像した画像データとともにその画像データが撮像された撮像日時を格納し、前記送信手段は、前記格納手段に格納された画像データを電子メールに添付するとともにその電子メールの本文に添付した画像データの撮像日時を記載して所定の宛先に送信することを特徴としている。
【０００９】
請求項４記載の通信端末装置は、請求項１乃至３のいずれか１に記載の通信端末装置において、前記送信手段は、前記撮像手段が郵便物の画像データを撮像する度に前記格納手段に格納されたその画像データを送信するか、前記撮像手段が郵便物の画像データを所定回数撮像する度に前記格納手段に格納されたそれらの画像データを送信するか、又は、前記格納手段のメモリ残量が所定値以下となった場合に前記格納手段に格納された未送信の画像データを送信するか、のいずれかの処理を行うことを特徴としている。
【００１０】
請求項５記載の通信端末装置は、請求項１乃至３のいずれか１に記載の通信端末装置において、前記格納手段に未送信の画像データがあるか否かの外部からの問合せを受付ける受付手段と、該受付手段が問合せを受付けた場合に前記格納手段に未送信の画像データがあるか否かを判断する判断手段を備え、前記送信手段は、前記判断手段が前記格納手段に未送信の画像データが格納されていると判断した場合に、その未送信の画像データを電子メールに添付して前記所定の宛先に送信することを特徴としている。
【発明の効果】
【００１１】
請求項１記載の通信端末装置によれば、郵便受けに投函された郵便物の画像データを撮像してその画像データを電子メールにて所定の宛先に送信するので、ユーザは、前記電子メールを受信した、例えば携帯電話やＰＣ等の外部通信端末に表示された前記画像データの画像から投函された郵便物の差出人の氏名や住所等の情報を確認することができる。
【００１２】
請求項２記載の通信端末装置によれば、請求項１記載の通信端末装置の効果に加えて、郵便受けに投函された郵便物の表裏両面の画像データを撮像してその画像データを電子メールにて送信するので、ユーザは、郵便物のどちらの面に差出人の氏名や住所等の情報が記載されていても確実に前記情報を確認することができる。
【００１３】
請求項３記載の通信端末装置によれば、請求項１又は２記載の通信端末装置の効果に加えて、ユーザは、外部通信端末が受信した電子メールの本文に記載されている撮像日時から郵便受けに郵便物が投函された日時を確認することができる。
【００１４】
請求項４記載の通信端末装置によれば、請求項１乃至３のいずれか１に記載の通信端末装置の効果に加えて、ユーザは、郵便受けに郵便物が投函される度にその画像データを送信するか、撮像回数が所定回数に達する度にそれらの画像データを送信するか、又は、画像データを格納するメモリ残量が所定値以下となった場合に未送信の画像データを送信するか、のいずれかを設定することができる。したがって、通信端末装置は、郵便物の受取人が意図する画像データの送信処理を行うことができる。
【００１５】
請求項５記載の通信端末装置によれば、請求項１乃至３のいずれか１に記載の通信端末装置の効果に加えて、ユーザは、外部通信端末から通信端末装置に問合せて、新しい郵便物が届いているか否かを確認することができる。
【発明を実施するための最良の形態】
【００１６】
以下、本発明の実施の形態に係る通信端末装置について図面に基づき説明する。図１は、この通信端末装置１の構成例を示したブロック図である。通信端末装置１は、図示するように、制御部（ＭＰＵ：Microprocessing Unit）２、ＲＯＭ（Read Only Memory）３、開閉検出センサ４、撮像部５、画像処理部６、コーデック（ＣＯＤＥＣ：Coder and Decoder）７、画像メモリ８、通信部９、ＲＡＭ（Random Access Memory）１０、操作部１１、表示部１２、及びＬＡＮ Ｉ／Ｆ（Local Area Network Interface）１３を備えており、各部２乃至１３はバス１４によって通信可能に接続されている。
【００１７】
制御部２は、ＲＯＭ３に格納された制御プログラムに従って、通信端末装置１を構成する各部を制御する。ＲＯＭ３は、制御部２によって通信端末装置１の各部が制御されるための制御プログラムを格納している。
【００１８】
開閉検出センサ４は、図２に例示するように、郵便受け１５の開閉扉１６が開いたことを検出するものであり、郵便受けに郵便物（ここでいう「郵便物」とは、郵便受けに投函されるダイレクトメールやチラシ等を含む。）が投函されたことを検出する検出手段として機能する。この開閉検出センサ４は、鉛直方向に対して開閉扉１６がなす角度θが、例えば１５°以上というように、所定の角度以上になった場合に開閉扉１６が開いたことを検出する。制御部２は、この開閉検出センサ４が開閉扉１６が開いたことを検出した場合に、郵便受け１５に郵便物が投函されたと判断する。
【００１９】
撮像部５は、開閉検出センサ４が郵便物が投函されたことを検出した場合に郵便受け１５に投函された郵便物の画像データを撮像する撮像手段として機能する。この撮像部５は、郵便受け１５に投函された郵便物の上面（表面）の画像データを撮像する上面撮像センサ１７と、郵便物の下面（裏面）の画像データを撮像する下面撮像センサ１８と、郵便受け１５に投函された郵便物を搬送し、投函された郵便物の厚さに合わせて上下動する上搬送ローラ１９と、上搬送ローラ１９とともに郵便受け１５に投函された郵便物を搬送する下搬送ローラ２０と、を備えている。上面撮像センサ１７及び下面撮像センサ１８は、郵便受け１５に投函された郵便物の上面と下面の画像データを撮像する固体撮像素子（ＣＣＤ：Charge Coupled Device）である。
【００２０】
開閉検出センサ４が郵便受け１５に郵便物が投函されたことを検出すると、制御部２は、郵便受け１５に郵便物が投函されたと判断し、上搬送ローラ１９及び下搬送ローラ２０の回転を制御して投函された郵便物を所定の速度で搬送する。このようにして所定の速度で搬送される郵便物は、撮像位置Ｐ１に至り、該撮像位置Ｐ１を通過する際に下面撮像センサ１８によって下面の画像データが主走査ライン毎に撮像され、更に搬送されて撮像位置Ｐ２を通過する際に上面撮像センサ１７によって上面の画像データが主走査ライン毎に撮像される。したがって、撮像部５は、上面撮像センサ１７及び下面撮像センサ１８によって、郵便受け１５に投函された郵便物の表面と裏面の画像データを撮像する撮像手段として機能する。
【００２１】
なお、撮像部５において撮像される画像データは、モノクロ画像データ又はカラー画像データのいずれであってもよい。また、郵便受け１５には複数部の郵便物が一度に投函される場合もあるが、その場合、上搬送ローラ１９と下搬送ローラ２０の回転を個別に制御し、郵便物を一部ずつ搬送して、上記の撮像処理を各郵便物に対して個別に行う。
【００２２】
上記のように上面撮像センサ１７及び下面撮像センサ１８によって撮像された郵便物の表面と裏面の画像データは、画像処理部６に出力される。画像処理部６は、前記撮像部５が撮像した画像データに対して必要な画像処理を行うものであり、縮小処理等行う。コーデック７は、前記画像処理部６で画像処理された画像データをＪＰＥＧ（Joint Photographic Experts Group）形式に対応して圧縮符号化する。なお、ＧＩＦ（Graphics Interchange Format）、ＴＩＦＦ（Tagged Image File Format）形式等に対応して圧縮符号化するようにしてもよい。画像メモリ８は、コーデック７において圧縮符号化された画像データを格納する。すなわち、撮像部５が撮像した画像データを格納する格納手段として機能する。
【００２３】
通信部９は、例えば携帯電話やＰＣ等の、外部通信端末（不図示）との間で通信を行うものであり、画像メモリ８に格納された画像データを電子メールに添付して所定の宛先に送信する送信手段として機能する。具体的には、新規の電子メールを作成するとともに、画像メモリ８に格納された画像データを作成した電子メールに添付して前記外部通信端末の所定の宛先（メールアドレス）に対して空間を介して送信する。
【００２４】
また、この通信部９は、画像メモリ８に未送信の画像データがあるか否かの外部からの問合せを受付ける受付手段として機能する。具体的には、外部通信端末から前記問合せのための所定のコマンドを受信する。制御部２は、この通信部９が前記所定のコマンドを受信した場合に、画像メモリ８に未送信の画像データがあるか否か、すなわち、通信部９から電子メールにて所定の宛先に送信する処理が行われていない画像データがあるか否かを判断する。したがって、制御部２は、通信部９が問合せを受付けた場合に、画像メモリ８に未送信の画像データがあるか否かを判断する判断手段として機能する。そして、通信部９は、制御部２が未送信の画像データが画像メモリ８に格納されていると判断した場合に、該制御部２の制御命令に従って、その未送信の画像データを電子メールに添付して前記所定の宛先に送信する処理を行う。
【００２５】
ＲＡＭ１０は、制御部２の主メモリ、ワークエリア等として機能するものであり、送信設定情報２１、メッセージ２２、撮像日時２３、宛先２４、及び送信履歴２５を格納している。ここで、送信設定情報２１は、通信部９によって行われる電子メールの送信処理を郵便物の受取人（以下、「ユーザ」ともいう。）が予め操作部１１から設定したものであり、通信部９は、この送信設定情報２１に従って画像メモリ８に格納された画像データの送信処理を行う。ユーザが設定することができる送信設定情報２１はここでは３種類あり、撮像部５が郵便物の画像データを撮像する度にその画像データを送信する設定、撮像部５が郵便物の画像データを所定回数撮像する度にそれらの画像データを送信する設定、又は、画像メモリ８のメモリ残量が所定値以下となった場合に画像メモリ８に格納された未送信の画像データを送信する設定、のいずれかである。なお、本実施の形態の変形例として、送信設定情報２１を上記３種類のうちの1種類又は２種類としてもよい。メッセージ２２は、画像メモリ８に格納された画像データが通信部９から所定の宛先に電子メールにて送信される際に、このＲＡＭ１０から制御部２によって読み出され、電子メールの本文に記載されるメッセージである。
【００２６】
撮像日時２３は、撮像部５において郵便物の画像データが撮像された日時であり、画像メモリ８に格納された画像データと対応づけられてこのＲＡＭ１０に格納される。なお、この撮像日時２３は、メッセージ２２と同様に、通信部９から送信される電子メールの本文に記載される。このように、画像メモリ８とともに格納手段として機能するＲＡＭ１０は、撮像部５が撮像した画像データが撮像された撮像日時２３を格納する。宛先２４は、画像メモリ８に格納された画像データを電子メールに添付して送信する際のその送信先である外部通信端末のメールアドレスである。送信履歴２５は、画像メモリ８に格納された画像データが電子メールに添付されて送信されたことを示す、例えば送信日時等の情報であり、制御部２は、この送信履歴２５と画像メモリ８の画像データから画像メモリ８の画像データが送信されたか否かを判断することができる。また、送信設定情報２１及び宛先２４は、操作部１１からの所定操作によってユーザが設定変更することができる。
【００２７】
操作部１１は、各種設定を行うためのカーソルキー等の表示部１２と連動した各種操作キーを具備しており、ユーザによる各種の入力操作はこの操作部１１において行われる。表示部１２は、液晶表示装置（ＬＣＤ：Liquid Crystal Display）、ＬＥＤランプ等からなり、各種の設定画面や通信端末装置１の動作状態等を文字や図形、光等で表示する。
【００２８】
ＬＡＮ Ｉ／Ｆ１３は、ＬＡＮ（Local Area Network）２６と通信端末装置１とを通信可能に接続するインターフェースである。ＬＡＮ２６には、クライアントＰＣ２７が設置されており、クライアントＰＣ２７から通信端末装置１のＲＡＭ１０に格納されている送信設定情報２１や宛先２４を変更したり、また、画像メモリ８に格納された画像データをクライアントＰＣ２７が備えるハードディスク等に格納することも可能である。また、ＬＡＮ２６には、メールサーバ２８、ルータ２９も設置されており、通信端末装置１は、通信部９の代わりにメールサーバ２８から電子メールを送信したり、外部通信端末からのコマンドを受信することも可能である。
【００２９】
以上のように構成された通信端末装置１において、郵便受け１５に郵便物が投函された場合の通信端末装置１の各部の処理動作について、図３に示すフローチャートに基づいて説明する。なお、このフローチャートに基づいて説明する通信端末装置１の各部の処理動作は、ＲＯＭ３に格納されている制御プログラムに基づいて制御部２が発行する命令に従って行われる。
【００３０】
制御部２が、開閉検出センサ４の検出結果に基づいて郵便受け１５に郵便物が投函されたと判断した場合（Ｓ１：ＹＥＳ）、撮像部５は、上面撮像センサ１７及び下面撮像センサ１８により郵便受け１５に投函された郵便物の画像データを撮像する（Ｓ２）。そして、制御部２は、撮像部５が撮像した画像データに所定の画像処理を行い、その画像データとともに撮像日時２３を格納する（Ｓ３）。具体的には、撮像部５が撮像した画像データを画像処理部６で外部通信端末で表示するのに適したサイズとなるよう縮小処理等の所定の画像処理を行い、その画像処理された画像データをコーデック７で圧縮符号化して画像メモリ８に格納し、ＲＡＭ１０にその撮像日時２３を格納する。
【００３１】
次いで、制御部２は、ＲＡＭ１０に格納された送信設定情報２１に基づいて郵便物の画像データを撮像する度にその画像データを送信する設定になっているか否かを判断する（Ｓ４）。郵便物の画像データを撮像する度にその画像データを送信する設定になっていると判断した場合（Ｓ４：ＹＥＳ）、新規電子メールを作成し（Ｓ５）、画像メモリ８に格納されたその画像データを読み出して作成した電子メールに添付する（Ｓ６）。そして、制御部２は、「郵便物が届いています」等の郵便物が郵便受けに投函された旨のメッセージ２２と、電子メールに添付した画像データの撮像日時２３をＲＡＭ１０から読み出して電子メールの本文に記載する（Ｓ７）。そして、制御部２は、電子メールを通信部９から所定の宛先２４、すなわち外部通信端末に送信して、その送信履歴２５をＲＡＭ１０に格納する（Ｓ８）。
【００３２】
一方、制御部２は、Ｓ４において、画像データを撮像する度にその画像データを送信する設定になっていないと判断した場合は（Ｓ４：ＮＯ）、撮像部５が投函された郵便物の画像データを所定回数撮像する度にそれらの画像データを送信する設定になっているか否かを判断する（Ｓ９）。撮像部５が郵便物の画像データを所定回数撮像する度にそれらの画像データを送信する設定になっていると判断した場合（Ｓ９：ＹＥＳ）、撮像部５が郵便物の画像データを設定された所定回数撮像したか否かを送信設定情報２１と送信履歴２５に基づいて判断する（Ｓ１０）。撮像部５が郵便物の画像データを設定された所定回数撮像したと判断した場合（Ｓ１０：ＹＥＳ）、Ｓ５以降の処理を行う。その際、制御部２は、Ｓ６においてはそれら所定回数分の画像データを画像メモリ８から読み出してＳ５で作成した電子メールに添付し、Ｓ７においてはそれら所定回数分のそれぞれの画像データの撮像日時２３をＲＡＭ１０から読み出して本文に記載する。例えば、ユーザによって画像データを３回撮像する度に送信すると設定されている場合、撮像部５が郵便物の画像データを３回撮像する度に新規電子メールを作成し、上面撮像センサ１７と下面撮像センサ１８で３回撮像した計６枚の画像データを画像メモリ８から読み出して作成した電子メールに添付する。そして、「郵便物が届いています」等の郵便物が郵便受けに投函された旨のメッセージ２２とそれら３回分の画像データの撮像日時２３をＲＡＭ１０から読み出して本文に記載し、所定の宛先に送信する。また、制御部２は、撮像部５が郵便物の画像データを設定された所定回数撮像していないと判断した場合は（Ｓ１０：ＮＯ）、処理を終了する。
【００３３】
また、制御部２は、Ｓ９において、撮像部５が郵便物の画像データを所定回数撮像する度にそれらの画像データを送信する設定になっていないと判断した場合は（Ｓ９：ＮＯ）、メモリ残量が所定値以下となった場合に未送信の画像データを送信する設定であると判断して、画像メモリ８のメモリ残量が所定値以下となったか否かを判断する（Ｓ１１）。画像メモリ８のメモリ残量が所定値以下となったと判断した場合（Ｓ１１：ＹＥＳ）、Ｓ５以降の処理を行う。その際、制御部２は、Ｓ６においては画像メモリ８に格納された画像データのうち送信履歴２５がＲＡＭ１０に格納されていない未送信の画像データのみを画像メモリ８から読み出しＳ５で作成した電子メールに添付し、Ｓ７においては添付したそれら未送信の画像データの撮像日時２３をＲＡＭ１０から読み出して本文に記載する。なお、制御部２は、電子メールの送信後に送信済みの画像データを撮像日時２３の古いものから順に必要なだけ削除して画像メモリ８に空き領域を確保するか、又は、クライアントＰＣ２７に転送して画像メモリ８に空き領域を確保する。一方、画像メモリ８のメモリ残量が所定値以下となっていないと判断した場合は（Ｓ１１：ＮＯ）、処理を終了する。
【００３４】
なお、制御部２は、Ｓ１１においてメモリ残量が所定値以下となったと判断した場合以外でも、画像メモリ８のメモリ残量が所定値以下となりそれ以上画像データを格納できない状態と判断すると、撮像日時２３の古いものから順に画像データを削除するか、又は、ＬＡＮ２６に設置されたクライアントＰＣ２７に転送する。
【００３５】
以上、郵便受け１５に郵便物が投函された場合に、送信設定情報２１に基づいて、通信端末装置１が郵便物の画像データを電子メールにて所定の宛先に送信することについて説明したが、ユーザは、郵便受け１５に新しい郵便物が届いているか否かを確認するために、外部通信端末から通信端末装置１に対して未送信の画像データがあるか否かを問合せることができる。以下、外部通信端末から問合せを受付けた場合の通信端末装置１の各部の処理動作について、図４に示すフローチャートに基づいて説明する。
【００３６】
制御部２は、外部通信端末から未送信の画像データがあるか否かを問合せるコマンドを通信部９が受信したか否かに基づいて、未送信の画像データがあるか否かの問合せがあったか否かを判断する（Ｓ２１）。ここで、未送信の画像データがあるか否かの問合せがあったと判断した場合（Ｓ２１：ＹＥＳ）、新規電子メールを作成する（Ｓ２２）。
【００３７】
次いで、制御部２は、画像メモリ８の画像データと送信履歴２５に基づいて画像メモリ８に未送信の画像データがあるか否かを判断する（Ｓ２３）。画像メモリ８に未送信の画像データがあると判断した場合（Ｓ２３：ＹＥＳ）、未送信の画像データを画像メモリ８から読み出して作成した電子メールに添付する（Ｓ２４）。そして、「新しい郵便物が届いています」等の未送信の画像データがある旨のメッセージ２２と、添付した画像データの撮像日時２３をＲＡＭ１０から読み出して電子メールの本文に記載する（Ｓ２５）。そして、その電子メールを通信部９から問合せがあった外部通信端末の所定の宛先に送信して、その画像データに対応する送信履歴２５をＲＡＭ１０に格納する（Ｓ２６）。
【００３８】
一方、制御部２は、Ｓ２３において、画像メモリ８に未送信の画像データがないと判断した場合は（Ｓ２３：ＮＯ）、「新しい郵便物はありません」等の未送信の画像データがない旨のメッセージ２２をＲＡＭ１０から読み出し、電子メールの本文に記載する（Ｓ２７）。そして、その電子メールを通信部９から問合せがあった外部通信端末の所定の宛先に送信する（Ｓ２８）。
【００３９】
以上の説明から明らかなように、本発明の実施の形態に係る通信端末装置１によれば、郵便物の受取人は、郵便受けに投函された郵便物に記載された差出人の名前や住所等の情報、投函された日時等を外出先で確認することができる。また、撮像した画像データを所定回数分まとめて送信したり、メモリ残量が少なくなると送信するといった送信の設定をすることができる。さらに、郵便物の受取人は、外部通信端末から未送信の画像データの有無を問合せることができる。
【００４０】
なお、本発明の実施の形態では、通信端末装置１は、郵便受け１５に投函された郵便物の画像データを撮像部５の上面撮像センサ１７と下面撮像センサ１８の２つのラインセンサで撮像する構成としたが、郵便物の画像データを撮像する撮像手段は、郵便物に関する情報を撮像できるものであれば、これに限るものではない。例えば、デジタルスチルカメラ等で一般に使用されるＣＣＤ、ＣＭＯＳ（Complementary Metal-oxide Semiconductor）センサ等を使用してもよい。また、通信端末装置１は、外部通信端末から未送信の画像データがあるか否かの問合せを受付けた場合に、ここでは未送信の画像データのみを送信するが、送信済みの画像データを再送信するようにしてもよい。また、ＲＡＭ１０に撮像日時２３、撮像された画像データのファイル名、送信履歴２５等を格納したテーブルを設け、表示部１２の液晶表示装置、クライアントＰＣ２７、又は、外部通信端末から確認できるようにしてもよい。
【産業上の利用可能性】
【００４１】
本発明は、個人住宅、集合住宅、オフィス等の郵便受けに利用することができる。
【図面の簡単な説明】
【００４２】
【図１】本発明の実施の形態に係る通信端末装置の構成例を示したブロック図である。
【図２】郵便受けの構成例を示した概略断面図である。
【図３】郵便受けに郵便物が投函された場合に、通信端末装置において行われる処理動作を示すフローチャートである。
【図４】外部通信端末から問合せを受付けた場合に、通信端末装置において行われる処理動作を示すフローチャートである。
【符号の説明】
【００４３】
１    通信端末装置
２    制御部
４    開閉検出センサ
５    撮像部
８    画像メモリ
９    通信部
１０    ＲＡＭ
１１    操作部
１５    郵便受け
１７    上面撮像センサ
１８    下面撮像センサ
【図１】
2005294946.tif 000003
【図２】
2005294946.tif 000004
【図３】
2005294946.tif 000005
【図４】
2005294946.tif 000006